(57)【特許請求の範囲】
【請求項１】
画像読取装置において、
原稿を載置する原稿載置台と、
前記原稿を前記原稿載置台に対し押圧させるものであって、開閉可能な原稿押圧部と、
前記原稿押圧部の開閉状態を検知する開閉検知手段と、
前記原稿載置台に載置された前記原稿の画像を読取るものであって、前記開閉検知手段で前記原稿押圧部が開状態から閉状態となったことを検知したタイミング又は当該タイミング以後に前記原稿載置台に載置された前記原稿の原画像を読取って原画像データを生成することが可能な読取手段と、
前記読取手段により読取られた前記原画像データを利用する複数の処理モードに対応する画像処理設定を記憶する設定記憶部と、
前記原画像データを、前記設定記憶部に記憶されている各処理モードの画像処理設定に従って処理して、各処理モードに対応する画像データを生成する画像処理手段と、
前記画像処理手段が生成した画像データを記憶する画像格納部と、
ユーザによる入力を受付けるものであって、前記ユーザからいずれかの処理モードの実行指示を受付けることが可能な入力手段と、
前記入力手段により前記ユーザからいずれかの処理モードの実行指示を受付けると、前記画像格納部に格納されている画像データを用いて当該処理モードを実行する制御処理を行う処理モード実行制御手段と、
外部に接続する１又は複数のインタフェースと、
それぞれの前記インタフェースの接続状態を検出する接続検出手段とを備え、
前記画像処理手段は、前記接続検出手段で接続が確認できないインタフェースを利用する処理モードについては、前記原画像データに基づく画像データの生成を行わないこと
を特徴とする画像読取装置。
【請求項２】
前記読取手段は、前記原稿の読取を行う場合、最大解像度及び最大色数の設定で読取を行うことを特徴とする請求項１に記載の画像読取装置。
【請求項３】
前記入力手段は、前記ユーザから、処理モードの実行指示を受ける際に、画像読取条件の指示も受付け、
前記画像処理手段は、前記ユーザから実行指示を受付けた処理モードに対応する画像処理設定が、前記ユーザから指示された画像読取条件と一致しなかった場合、前記原画像データを前記ユーザから指示された画像読取条件に対応する画像データに変換する処理を行うことを特徴とする請求項１又は２に記載の画像読取装置。
【請求項４】
各処理モードの各画像読取条件について利用頻度を計数する計数手段と
前記計数手段の計数結果に基づいて、前記設定記憶部に記憶される各処理モードの画像処理設定を更新する更新手段と
をさらに有することを特徴とする請求項３に記載の画像読取装置。
【請求項５】
前記更新手段は、前記設定記憶部に記憶される各処理モードの画像処理設定を、前記計数手段の計数結果で利用頻度の最も高い画像読取条件と同じ内容に更新することを特徴とする請求項４に記載の画像読取装置。
【請求項６】
前記インタフェースには、少なくともネットワーク接続部、電話回線接続部、又はメモリ接続部のいずれか一つが含まれることを特徴とする請求項１に記載の画像読取装置。
【請求項７】
前記画像格納部に格納されている画像データは、前記開閉検知手段により、前記原稿押圧部の開状態が検出されたときに消去されることを特徴とする請求項１〜６のいずれかに記載の画像読取装置。
【請求項８】
原稿を読取る画像読取装置部と、媒体に画像形成する画像形成装置部とを備える画像形成装置において、前記画像読取装置部として請求項１〜７のいずれかに記載の画像読取装置を適用したことを特徴とする画像形成装置。
【発明の詳細な説明】
【技術分野】
【０００１】
本発明は、画像読取装置及び画像形成装置に関し、例えば、原稿を読込んだ画像を処理して出力する複合機（ＭＦＰ：ＭｕｌｔｉＦｕｎｃｔｉｏｎ  Ｐｒｉｎｔｅｒ）に適用し得る。
【背景技術】
【０００２】
従来、原稿の読取を行うスキャナ（画像読取装置）を備える複合機では、ユーザからの指示（例えば、スタートボタンの押下）があった後、スキャナの原稿載置台に載置された原稿の読取を行って、読取った画像を出力（例えば、プリンタで印刷出力）する処理を行う。
【０００３】
しかしながら、従来の複合機ではユーザからの開始指示後に、スキャナで原稿の読取を開始する場合、画像の読取から出力終了までの時間が長くなってしまうという問題がある。
【０００４】
そこで、特許文献１では、スキャナの原稿載置台に原稿が載置され、原稿押圧部（蓋）が閉じられたタイミングで、予め設定された条件にて先行して原稿読取を開始させ、画像データを取得しておくことについて提案されている。
【先行技術文献】
【特許文献】
【０００５】
【特許文献１】特開２００２−３５４１７６号公報
【発明の概要】
【発明が解決しようとする課題】
【０００６】
しかしながら、従来の複合機では、先行して原稿読取を行う条件と、その後にユーザから指示される原稿読取の条件とが異なる場合、再度原稿読取を行う必要があり、処理の短縮に寄与しない場合があった。
【０００７】
以上のような問題に鑑みて、ユーザの開始指示から、原稿を読取った画像の出力処理の終了までの時間を、より確実に短縮することができる画像読取装置（例えば、スキャナ）及び当該画像読取装置を備える画像形成装置（例えば、複合機）が望まれている。
【課題を解決するための手段】
【０００８】
第１の本発明は、画像読取装置において、（１）原稿を載置する原稿載置台と、（２）前記原稿を前記原稿載置台に対し押圧させるものであって、開閉可能な原稿押圧部と、（３）前記原稿押圧部の開閉状態を検知する開閉検知手段と、（４）前記原稿載置台に載置された前記原稿の画像を読取るものであって、前記開閉検知手段で前記原稿押圧部が開状態から閉状態となったことを検知したタイミング又は当該タイミング以後に前記原稿載置台に載置された前記原稿の原画像を読取って原画像データを生成することが可能な読取手段と、（５）前記読取手段により読取られた前記源画像データを利用する複数の処理モードに対応する画像処理設定を記憶する設定記憶部と、（６）前記原画像データを、前記設定記憶部に記憶されている各処理モードの画像処理設定に従って処理して、各処理モードに対応する画像データを生成する画像処理手段と、（７）前記画像処理手段が生成した画像データを記憶する画像格納部と、（８）ユーザによる入力を受付けるものであって、前記ユーザからいずれかの処理モードの実行指示を受付けることが可能な入力手段と、（９）前記入力手段により前記ユーザからいずれかの処理モードの実行指示を受付けると、前記画像格納部に格納されている画像データを用いて当該処理モードを実行する制御処理を行う処理モード実行制御手段と、（１０）外部に接続する１又は複数のインタフェースと、（１１）それぞれの前記インタフェースの接続状態を検出する接続検出手段とを備え、（１２）前記画像処理手段は、前記接続検出手段で接続が確認できないインタフェースを利用する処理モードについては、前記原画像データに基づく画像データの生成を行わないことを特徴とする。
【０００９】
第２の本発明は、原稿の画像を読取る画像読取装置部と、媒体に画像形成する画像形成装置部とを備える画像形成装置において、前記画像読取装置部として第１の本発明の画像読取装置を適用したことを特徴とする。
【発明の効果】
【００１０】
本発明によれば、ユーザの指示から原稿を読取った画像の出力処理の終了までの時間をより確実に短縮する画像読取装置及び当該画像読取装置を提供することができる。
【図面の簡単な説明】
【００１１】
【図１】第１の実施形態に係る複合機の機能的構成について示したブロック図である。
【図２】第１の実施形態に係る複合機の概略断面図である。
【図３】第１の実施形態に係る画像読取装置部の外観の斜視図である。
【図４】第１の実施形態に係るデフォルト設定情報の構成例について示した説明図である。
【図５】第１の実施形態に係る複合機の動作例について示したフローチャートである。
【図６】第２の実施形態に係る複合機の機能的構成について示したブロック図である。
【図７】第２の実施形態に係る画像処理条件カウンタ部の各カウンタ値の例について示した説明図である。
【図８】第２の実施形態に係る複合機の動作例について示したフローチャートである。
【図９】第３の実施形態に係る複合機の動作例について示したフローチャート（その１）である。
【図１０】第３の実施形態に係る複合機の動作例について示したフローチャート（その２）である。
【発明を実施するための形態】
【００１２】
（Ａ）第１の実施形態
以下、本発明による画像読取装置及び画像形成装置の第１の実施形態を、図面を参照しながら詳述する。以下では、本発明の画像読取装置及び画像形成装置を複合機に適用した例について説明する。
【００１３】
（Ａ−１）第１の実施形態の構成
図１は、第１の実施形態の複合機１０００の機能的構成について示したブロック図である。
【００１４】
図２は、第１の実施形態の複合機１０００の概略断面図である。
【００１５】
図２に示すように、複合機１０００は、大別すると媒体Ｐ（例えば、印刷用紙）に印刷（画像形成）を行う画像形成装置部１００及び原稿Ｍを読み取った画像を生成する画像読取装置部２００を有している。
【００１６】
画像形成装置部１００は、媒体カセット１０１、画像形成部１０２、画像定着部１０３、排出部１０４、給紙ローラ１０５、搬送ローラ１０６、１０７、及び排紙ローラ１０８、１０９を有している。
【００１７】
媒体カセット１０１は、複数の媒体Ｐを積層して収納するものである。
【００１８】
画像形成部１０２は、画像データ（画像信号）に応じたトナー像を現像して媒体Ｐに転写するものである。画像形成部１０２が対応する印刷方式（画像形成方式）については限定されないものである。この実施形態の例では、画像形成部１０２は、複数色のトナーを用いたカラー印刷及び単色のトナーを用いたモノクロ印刷に対応しているものとする。また、画像形成部１０２は、複数パターンの解像度での印刷（トナー像の現像）が可能となっているものとする。この実施形態の例では、画像形成部１０２は、カラー及びモノクロについて、それぞれ３００ｄｐｉ又は６００ｄｐｉのいずれかの解像度での印刷（トナー像の現像）が可能であるものとして説明する。なお、画像形成部１０２が対応する印刷条件（例えば、印刷するトナーの色数や解像度等）については限定されないものである。
【００１９】
画像定着部１０３は、画像形成部１０２でトナー像が転写された媒体Ｐに熱及び圧力を加えてトナー像を定着させる定着処理を行うものである。
【００２０】
給紙ローラ１０５は、媒体カセット１０１に収納されている媒体Ｐを繰り出すローラである。
【００２１】
搬送ローラ１０６、１０７は、給紙ローラ１０５により給紙された媒体Ｐを搬送して画像形成部１０２まで搬送するローラである。
【００２２】
排紙ローラ１０８、１０９は、画像定着部１０３による定着処理後の媒体Ｐを下流側に搬送して装置外に排出するためのローラである。
【００２３】
排出部１０４は、排紙ローラ１０８、１０９により排出された媒体Ｐを積載するものである。
【００２４】
また、複合機１０００は、ネットワーク接続部１２、ＦＡＸ回線接続部１３、及びＵＳＢ接続部１４も有している。
【００２５】
ネットワーク接続部１２は、ＬＡＮ等のネットワークＮ１に接続するためのインタフェースである。ネットワーク接続部１２としては、イーサネット（登録商標）インタフェース等のネットワークインタフェースを適用することができる。この実施形態では、複合機１０００は、ネットワーク接続部１２を介して、ネットワークＮ１に接続し、ネットワークＮ１上のＰＣ３００やサーバ４００等へデータ送信を行うことができるものとする。ネットワークＮ１のネットワーク構成やネットワークＮ１に接続する装置の構成は限定されないものである。
【００２６】
ＦＡＸ回線接続部１３は、電話回線Ｎ２（公衆電話網）に接続するためのインタフェース（電話回線接続部）である。この実施形態では、複合機１０００は、ＦＡＸ回線接続部１３を介して電話回線Ｎ２に接続してＦＡＸ送受信等を行うものとする。
【００２７】
ＵＳＢ接続部１４は、可搬データ記録媒体と接続するためのインタフェース（メモリ接続部）である。複合機１０００は、ＵＳＢ接続部１４を介してＵＳＢメモリ１４ａと接続し、当該ＵＳＢメモリ１４ａのデータ読み書きを行う。
【００２８】
次に、画像読取装置部２００の構成について図２及び図３を用いて説明する。
【００２９】
画像読取装置部２００は、原稿載置台１、原稿押圧部２、開閉センサ３、４、画像読取手段５、及び操作パネル１６を有している。
【００３０】
画像読取装置部２００が原稿Ｍを読み取る具体的な方式については限定されないものである。この実施形態の例では、画像読取装置部２００は、いわゆるフラットベッド（ＦＢ）方式のスキャナであるものとして説明する。
【００３１】
原稿載置台１は、原稿Ｍを載置するための台である。
【００３２】
原稿押圧部２は、原稿載置台１に載置された原稿Ｍを上から押圧する部材である。また、原稿押圧部２は開閉可能となっている。図３では、原稿押圧部２が開状態となっている。
【００３３】
開閉センサ３、４は、原稿押圧部２の開閉状態を検知するための開閉検知手段として機能する。開閉センサ３、４の具体的な検知方式については限定されないものであるが例えば、機械的方式（例えば、図示しないレバーの動作による検知方式）や光学的方式（例えば、受光センサの出力による検知方式）等の種々の方式を適用することができる。
【００３４】
画像読取手段５は、副走査方向に移動しながら原稿載置台１に載置された原稿Ｍを読取るもの（いわゆる、イメージセンサヘッド）である。
【００３５】
原稿検出センサ１０、１１は、原稿載置台１に載置された原稿Ｍの検出（例えば、原稿Ｍの有無や原稿Ｍのサイズ等を検出）を行うセンサ（原稿検出手段）である。原稿検出センサ１０、１１は、それぞれ、例えば光学的なセンサを用いて原稿載置台１上の原稿Ｍの有無を検知する。画像読取装置部２００では、この２つの原稿検出センサ１０、１１の検出結果に応じて、原稿載置台１上の原稿Ｍの有無や、原稿載置台１に載置された原稿Ｍのサイズを認識可能な構成となっているものとする。
【００３６】
操作パネル１６は、ユーザの操作を受け付けるためのデバイス（入力手段）であり、ハードボタン部１７及び操作表示部１８を有している。
【００３７】
ハードボタン部１７は、ユーザの押下を受け付けるハードボタンを複数有している。図３に示すように、ハードボタン部１７は、少なくとも種々の処理開始を受付けるためのスタートボタン１７ａが配置されている。
【００３８】
操作表示部１８は、ユーザへの情報出力及びユーザからの情報入力受付が可能なデバイスである。操作表示部１８は、例えば、ユーザからの操作受付が可能な操作画面（ＧＵＩ画面）を表示する。操作表示部１８としては、例えば、液晶タッチパネルディスプレイ等を適用することができる。
【００３９】
次に、複合機１０００の機能的構成について図１を用いて説明する。
【００４０】
図１に示すように、複合機１０００は、機能的に上述の構成のほかに、画像格納部６及び制御部７を有している。
【００４１】
制御部７は、複合機１０００の装置全体の制御及び種々の情報処理を行うものである。制御部７は、例えば、ＣＰＵ及びＲＡＭを有するプログラムの実施構成（コンピュータ）に種々のプログラムをインストールすることにより実現するようにしてもよい。また、制御部７では、一部又は全部の処理についてハードウェア（例えば、専用チップや電気回路）を用いて実現するようにしてもよい。
【００４２】
制御部７は、画像形成装置部１００及び画像読取装置部２００を制御して、ユーザの指示に応じた機能（以下、「処理モード」とも呼ぶ）の制御処理を実行する。すなわち、制御部７は、各処理モード（機能）の処理の制御を行う機能実行制御手段としても機能する。また、複合機１０００では、制御部７及び画像読取手段５を含む構成により、原稿載置台１に載置された原稿Ｍを読取る読取手段が構成されている。以下では、複合機１０００が対応する処理モードのうち、原稿Ｍを読取った画像データを利用する処理モードを中心に説明する。この実施形態の複合機１０００では、原稿Ｍを読取った画像データを利用する処理モードとして、「Ｓｃａｎ  ｔｏ  ＰＣ」（原稿Ｍを読み込んだ画像データをネットワークＮ１上のＰＣに送信する処理）、「Ｓｃａｎ  ｔｏ  Ｓｅｒｖｅｒ」（原稿Ｍを読み込んだ画像データをネットワークＮ１上のサーバ４００に送信する処理）、Ｆａｘ（原稿Ｍを読み込んだ画像データをＦＡＸ送信する処理）、「Ｓｃａｎ  ｔｏ  ＵＳＢ」（原稿Ｍを読み込んだ画像データをネットワークＮ１上のＰＣ３００に送信する処理）、及び「Ｃｏｐｙ」（原稿Ｍを読み込んだ画像データに基づく画像を、画像形成装置部１００に印刷させる処理）に対応しているものとする。なお、複合機１０００が対応する処理モードの数や組合せは限定されないものである。
【００４３】
画像格納部６は、主として画像データを格納するための記憶手段である。画像格納部６は、例えば、制御部７で取得された画像データを格納する。
【００４４】
次に、制御部７の機能的構成について説明する。
【００４５】
図１に示すように、制御部７は、機能的には、画像処理部８、原稿サイズ検出制御部９、接続検出部１５、及び設定記憶部１９を有している。
【００４６】
原稿サイズ検出制御部９は、原稿検出センサ１０、１１の検知結果を利用して、画像読取装置部２００にセット（原稿載置台１に載置）された原稿Ｍのサイズを検知する処理を行うものである。
【００４７】
接続検出部１５は、複合機１０００が備える各インタフェース（ネットワーク接続部１２、ＦＡＸ回線接続部１３、及びＵＳＢ接続部１４）について接続状態を検出するものである。接続検出部１５は、ネットワーク接続部１２を制御してネットワークＮ１が接続しているか否か（ＬＡＮへのリンクの有無）を検出する。接続検出部１５は、ＦＡＸ回線接続部１３を制御して電話回線Ｎ２が接続しているか否かを検出する。接続検出部１５は、ＵＳＢ接続部１４を制御してＵＳＢメモリ１４ａが接続されているか否かを検出する。
【００４８】
画像処理部８は、画像データの処理を行う画像処理手段の機能を担っている。画像処理部８は、例えば、画像読取装置部２００で読み取った画像データを処理して、ユーザの操作に応じた読取条件の画像データに変換する処理等を行う。画像処理部８が処理した画像データは、画像格納部６に記憶される。
【００４９】
設定記憶部１９は、制御部７の処理に用いられる各設定値を記憶するための記憶手段である。設定記憶部１９は、後述するデフォルト設定情報１９１を記憶している。
【００５０】
制御部７は、原稿載置台１に原稿Ｍがセットされ、原稿押圧部２が開状態から閉状態となったことを検出（開閉センサ３、４により検出）すると、ユーザによるいずれかの処理モード（原稿Ｍの読込みを伴う処理モード）の開始指示（例えば、スタートボタン１７ａの押下や操作表示部１８上の所定のソフトキー押下）に先行して、画像読取装置部２００を制御し、当該原稿Ｍの読み込み（以下、当該タイミングでの原稿Ｍの読込を「先行読込」とも呼ぶ）を実行させる。なお、先行読込の開始タイミングは、原稿押圧部２が開状態から閉状態となったことを検出したタイミングとしてもよいし、原稿押圧部２が開状態から閉状態となったことを検出した後のタイミングとしてもよい。
【００５１】
そして、制御部７は、画像読取装置部２００で先行読込された画像データを画像処理部８に供給して処理させ、画像格納部６に格納させる。そして、制御部７は、ユーザにより、いずれかの処理モードの処理開始の操作が実行された後、先行読込により生成され画像格納部６に格納された画像データを用いて、ユーザの操作に応じた処理モードの処理を実行する。すなわち、制御部７は、ユーザにより、処理開始の操作が実行された後は、画像読取装置部２００にセットされた原稿Ｍの読み取りを実行させずに、先行読込により画像格納部６に格納された画像データを用いた処理を行う。
【００５２】
制御部７は、先行読込の際に、画像読取装置部２００を制御して、画像読取装置部２００が対応する最大解像度及び最大色数（最大階調）での読取を実行させる。この実施形態では、画像読取装置部２００は、最大解像度が６００ｄｐｉ、最大色数が１６７７７２１６色（ＲＧＢの各色についてそれぞれ２５６階調ずつのカラーモード）であるものとする。したがって、この実施形態では、制御部７は、先行読込の際に、画像読取装置部２００を制御して、６００ｄｐｉの解像度で、かつ、１６７７７２１６色（カラーモード）で原稿Ｍの読取を制御する。以下では、制御部７が、先行読込により読取った画像を「原画像」とも呼ぶものとする。また、以下では、原画像の画像データを「原画像データ」とも呼ぶものとする。
【００５３】
そして、画像処理部８は、先行読込により取得された画像データについて、デフォルト設定情報１９１に従った画像処理を行う。
【００５４】
図４は、デフォルト設定情報１９１の構成例について示した説明図である。
【００５５】
デフォルト設定情報１９１では、原稿Ｍを読み込んだ画像データを利用する各処理モードについてそれぞれ画像処理の設定（以下、「画像処理設定」と呼ぶ）が登録されている。
【００５６】
画像処理設定には、カラー又はモノクロの何れかを示す「カラー設定」と、「解像度」（３００ｄｐｉ又は６００ｄｐｉのいずれか）の設定値が含まれている。
【００５７】
例えば、図４では、Ｓｃａｎ  ｔｏ  ＰＣの画像処理設定が「カラー  ３００ｄｐｉ」となっているため、カラー設定がカラー、解像度が３００ｄｐｉに設定されていることを示している。また、例えば、図４では、ＦＡＸの画像処理設定が「モノクロ  ３００ｄｐｉ」となっているため、カラー設定がモノクロ、解像度が３００ｄｐｉに設定されていることを示している。
【００５８】
画像処理部８は、先行読込により取得された画像データについて、各処理モードの画像処理設定に対応する画像データに変換する処理を行い、画像格納部６に記憶する。
【００５９】
なお、画像処理部８は、画像処理設定が同じ内容となっている複数の処理モードについては、共通する１つの画像データだけを生成するようにしてもよい。例えば、図４に示すデフォルト設定情報１９１では、Ｓｃａｎ  ｔｏ  ＰＣ、Ｓｃａｎ  ｔｏ  Ｓｅｒｖｅｒ、Ｆａｘ、及びＳｃａｎ  ｔｏ  ＵＳＢの画像処理設定は、いずれも「カラー  ３００ｄｐｉ」となっているので、画像処理部８はこれらの処理モードについて１つの画像データ（カラーで３００ｄｐｉの画像データ）だけを生成するようにしてもよい。
【００６０】
また、画像処理部８は、接続検出部１５による各インタフェース（ネットワーク接続部１２、ＦＡＸ回線接続部１３及びＵＳＢ接続部１４）の検出結果に応じて、画像処理対象とする処理モードの一部を省略するものとする。例えば、画像処理部８は、ネットワーク接続部１２の接続状態がオフ（ネットワークＮ１へ接続していない状態）だった場合、ネットワーク接続部１２を利用する処理モード（Ｓｃａｎ  ｔｏ  ＰＣ、及びＳｃａｎ  ｔｏ  Ｓｅｒｖｅｒ）に対応する画像データの変換処理を省略するようにしてもよい。ネットワーク接続部１２の接続状態がオフである場合、ネットワーク接続部１２を利用する処理モードの実行は不可能であるためである。また、画像処理部８は、ＦＡＸ回線接続部１３の接続状態がオフ（電話回線Ｎ２に接続していない状態）だった場合、ＦＡＸ回線接続部１３を利用する処理モード（ＦＡＸ）に対応する画像データの変換処理を省略する。さらに、画像処理部８は、ＵＳＢ接続部１４の接続状態がオフ（ＵＳＢメモリ１４ａが接続されていない状態）だった場合、ＵＳＢ接続部１４を利用する処理モード（Ｓｃａｎ  ｔｏ  ＵＳＢ）に対応する画像データの変換処理を省略する。
【００６１】
なお、デフォルト設定情報１９１の内容については、予め設定するようにしてもよいし、ユーザの操作（例えば、操作パネル１６に対する操作）に応じて設定変更可能としてもよい。また、画像処理部８が画像データを変換する処理（解像度変換及び色変換）については、種々の画像データの処理を適用することができるため、詳しい説明については省略する。
【００６２】
（Ａ−２）第１の実施形態の動作
次に、以上のような構成を有する第１の実施形態の複合機１０００の動作について、図５のフローチャートを用いて説明する。を説明する。
【００６３】
図５のフローチャートは、主として制御部７を中心とした動作について示した内容となっている。
【００６４】
まず、２つの開閉センサ３、４で原稿押圧部２が開状態から閉じられたこと（ＯＮ状態）が検出されると（Ｓ１０１、Ｓ１０２）、制御部７は、次の処理（ステップＳ１０３の処理）に移行する。画像読取装置部２００では、開閉センサ３により原稿押圧部２が閉じ始めたことが検出され、開閉センサ４により原稿押圧部２が完全に閉じられたことを検出する。
【００６５】
原稿押圧部２が完全に閉じると（２つの開閉センサ３、４がＯＮ状態となると）、制御部７は、原稿サイズ検出制御部９に、原稿載置台１に載置された原稿Ｍのサイズの検知処理を実行させる（Ｓ１０３）。原稿サイズ検出制御部９は、例えば、画像読取手段５による読取結果に基づいて原稿Ｍの主走査方向のサイズを検出し、原稿検出センサ１０、１１の検出結果に応じて原稿Ｍの副走査方向のサイズを検出するようにしてもよい。また、原稿サイズ検出制御部９は、例えば、画像読取手段５により原稿Ｍを走査させて原稿Ｍの主走査方向及び副走査方向のサイズを検知するようにしてもよい。このように、原稿サイズ検出制御部９の制御により原稿Ｍのサイズを検知する具体的手段については限定されないものである。そして、このとき、原稿サイズ検出制御部９は、原稿載置台１に載置された原稿Ｍについて、いずれかの定型サイズ（例えば、Ａ５、Ａ４、Ａ３等の定型原稿サイズ）、又は非定型サイズ（定型サイズのいずれにも一致しない原稿サイズ）を検出する。そして、制御部７は、原稿サイズ検出制御部９による検出結果について、定型サイズ（いずれかの定型サイズ）か非定形サイズであるかを確認し、定型サイズだった場合後述するステップＳ１０４から動作し、非定型サイズだった場合には後述するステップＳ１０５から動作する。
【００６６】
上述のステップＳ１０３で、原稿サイズ検出制御部９による検出結果が定型サイズだった場合、制御部７は、画像読取装置部２００を制御して当該定型サイズでの原稿Ｍの先行読取を開始させる（Ｓ１０４）。このとき、画像読取装置部２００では、画像読取手段５が図示しないＬＥＤなどの光を原稿Ｍに照射し、その反射光を読取りながら原稿Ｍを読取って画像データを生成する。このとき、制御部７は、画像読取装置部２００を制御して、最大解像度（６００ｄｐｉ）で、かつ最大色数（１６７７７２１６色のカラーモード）での先行読取を実行させる。
【００６７】
一方、上述のステップＳ１０３で、原稿サイズ検出制御部９による検出結果が非定型サイズだった場合、制御部７は、フルサイズ（画像読取装置部２００で読取り可能な最大領域）での原稿Ｍの先行読取を開始させる（Ｓ１０５）。このとき、制御部７は、画像読取装置部２００を制御して、最大解像度（６００ｄｐｉ）で、かつ最大色数（１６７７７２１６色）での読取を実行させる。
【００６８】
次に、制御部７は、上述のステップＳ１０４、又はステップＳ１０５の先行読取により生成された画像データ（原画像データ）を画像格納部６に格納させる（Ｓ１０６）。
【００６９】
次に、制御部７の接続検出部１５は、ネットワーク接続部１２、ＦＡＸ回線接続部１３、及びＵＳＢ接続部１４のそれぞれのインタフェースに係る接続状態をチェックする（Ｓ１０７）。
【００７０】
次に、制御部７の画像処理部８は、デフォルト設定情報１９１に従って、各処理モードについて、読取った画像データを画像処理設定の形式に変換する処理を行う（Ｓ１０８）。このとき、画像処理部８は、接続検出部１５による各インタフェースの検出結果に応じて、画像処理対象とする処理モードの一部を省略する。具体的には、画像処理部８は、「Ｃｏｐｙ」及び接続済（接続状態がオン）のインタフェースに対応する処理モードの画像データを生成する処理を行う。
【００７１】
次に、制御部７の画像処理部８は、生成した各画像データを画像格納部６に格納する（Ｓ１０９）。
【００７２】
その後、ユーザの操作（例えば、操作パネル１６に対する操作）により、いずれかの処理モードの処理条件（原稿Ｍの読取条件）が設定入力され、ハードボタン部１７のスタートボタン１７ａが押下されると（Ｓ１１０、Ｓ１１１）、制御部７は、次の処理（後述するステップＳ１１２の処理）に移行する。
【００７３】
次に、制御部７は、画像格納部６に格納された各画像データのサイズが、定型サイズ（いずれかの定型サイズ）に対応するか否かを確認する（Ｓ１１２）。制御部７は、格納されている画像データのサイズが定型サイズの場合後述するステップＳ１１４から動作し、格納されている画像データのサイズが非定型サイズの場合制御部７は後述するＳ１１３から動作する。
【００７４】
画像格納部６に格納されている画像データのサイズが非定型サイズの場合、制御部７の画像処理部８は、画像格納部６に格納されている画像データを、ユーザに設定された読取条件に対応するサイズに変更する処理（画像の切り取り処理）を行い（Ｓ１１３）、後述するステップＳ１１４に移行する。
【００７５】
ステップＳ１１４に移行すると、制御部７は、ユーザに設定された読取条件と、デフォルト設定情報１９１の画像処理設定の内容（ユーザが実行を指示した処理モードに対応する画像処理設定の内容）をと比較して差異の有無を確認する。制御部７は、設定された読取条件と当該処理モードの画像処理設定の内容との差異がない場合には後述するステップＳ１１６の処理に移行し、差異がある場合には後述するステップＳ１１５の処理に移行する。
【００７６】
設定された読取条件と当該処理モードの画像処理設定の内容との差異がある場合、制御部７の画像処理部８は、画像読取装置部２００で読取った画像データ（最大解像度かつ最大色数の画像データ）を、ユーザに設定された読取条件に従って変換して、画像格納部６に格納し（Ｓ１１５）、後述するステップＳ１１６の処理に移行する。
【００７７】
ステップＳ１１６に移行すると、制御部７は、画像格納部６からユーザの読取条件に一致する画像データを取得し、当該画像データを用いてユーザに指示された処理モードの処理を実行（例えば、当該画像データを各処理モードに対応するインタフェースを用いて送信、又は当該画像データに基づく画像を媒体Ｐに印刷）して、処理を終了する。
【００７８】
なお、制御部７は、画像格納部６に格納されている画像データ（原画像データ及び当該原画像に基づく画像データ）については、ステップＳ１１５の処理が終了した後、原稿Ｍを取り除くためにユーザが原稿押圧部２を開いたタイミング（開閉センサ３、４で閉状態から開状態を検出したタイミング）で消去するようにしてもよい。
【００７９】
（Ａ−３）第１の実施形態の効果
第１の実施形態によれば、以下のような効果を奏することができる。
【００８０】
第１の実施形態の複合機１０００では、原稿押圧部２が閉じると、最大解像度かつ最大色数で原稿Ｍの先行読取を開始し、予めデフォルト設定情報１９１に設定された画像処理設定に基づいた画像処理を行って画像格納部６に格納している。すなわち、第１の実施形態の複合機１０００では、ユーザが操作パネル１６等の入力手段で入力（実行する処理モード及び読取条件を含む指示の入力）をしている間に、先行読取及び処理モードごとに対応する画像処理が実行される。これにより、第１の実施形態の複合機１０００では、ユーザからいずれかの処理モード（機能）の処理開始の指示（例えば、スタートボタン１７ａの押下）を受付けてから、当該処理モードに対応する出力（例えば、画像データの送信や画像形成）が完了するまでの時間を短縮できる。
【００８１】
特に第１の実施形態の複合機１０００では、デフォルト設定情報１９１の内容に従って複合機１０００が対応する処理モードごとの画像データを生成するので、ユーザからの開始指示から出力完了するまでの時間を、より確実に短縮できる。
【００８２】
また、第１の実施形態の複合機１０００では、接続検出部１５による各インタフェースの検出結果に応じて、画像処理対象とする処理モードの一部を省略する。これにより、第１の実施形態の複合機１０００では、先行読取に伴う画像処理の処理量を低減し、より高速な処理を行うことが可能となる。
【００８３】
（Ｂ）第２の実施形態
以下、本発明による画像読取装置及び画像形成装置の第２の実施形態を、図面を参照しながら詳述する。以下では、本発明の画像読取装置及び画像形成装置を複合機に適用した例について説明する。
【００８４】
（Ｂ−１）第２の実施形態の構成
第２の実施形態の複合機１０００のハードウェア構成については、第１の実施形態と同様に上述の図２、図３を用いて説明することができるので詳しい説明を省略する。
【００８５】
図６は、第２の実施形態の複合機１０００の機能的構成について示したブロック図である。以下では、第２の実施形態について第１の実施形態との差異を中心に説明する。
【００８６】
第２の実施形態では、画像処理条件カウンタ部２０が追加されている点で、第１の実施形態と異なっている。
【００８７】
第１の実施形態の複合機１０００では、デフォルト設定情報１９１の内容は静的な値が設定されていたが、第２の実施形態の複合機１０００では、各処理モードで利用される画像処理設定の頻度に応じて、デフォルト設定情報１９１の内容が動的に更新される。
【００８８】
第２の実施形態では、画像処理条件カウンタ部２０が、各処理モードで利用される画像処理設定ごとに実行回数を計数（カウンタにより計数）する。そして、第２の実施形態では、画像処理条件カウンタ部２０が、処理モードごとに最もカウンタ値の大きい画像処理設定（最も利用頻度の多い画像処理設定）を、デフォルト設定情報１９１に設定（反映）する処理を行う。
【００８９】
以上のように第２の実施形態では、画像処理条件カウンタ部２０が、各処理モードで利用される画像処理設定ごとに実行回数を計数する計数手段と、各カウンタ値に基づいてデフォルト設定情報１９１を更新する更新手段として機能する。
【００９０】
図７は、画像処理条件カウンタ部２０で管理される処理モードごとの各画像処理設定のカウンタ値である。
【００９１】
図７に示すように、画像処理条件カウンタ部２０では、「Ｓｃａｎ  ｔｏ  ＰＣ」、「Ｓｃａｎ  ｔｏ  Ｓｅｒｖｅｒ」、「Ｆａｘ」、「Ｓｃａｎ  ｔｏ  ＵＳＢ」、「Ｃｏｐｙ」のそれぞれの処理モードについて、全てのパターンの画像処理設定に対応するカウンタ値が保持されている。
【００９２】
上述の通り、各処理モードの画像処理設定には、カラー又はモノクロの何れかが設定される「カラー設定」の項目と、３００ｄｐｉ又は６００ｄｐｉのいずれかが設定される「解像度」の項目が含まれている。したがって、図７に示すように、画像処理条件カウンタ部２０では、それぞれの処理モードについて、４つのパターンの画像処理設定（「カラー  ３００ｄｐｉ」、「カラー  ６００ｄｐｉ」、「モノクロ  ３００ｄｐｉ」、及び「モノクロ  ６００ｄｐｉ」）のカウンタ値が設定されている。例えば、図７では、「Ｓｃａｎ  ｔｏ  ＰＣ」の処理モードにおいて、画像処理設定「カラー  ３００ｄｐｉ」のカウンタ値を「ａ」、画像処理設定「カラー  ６００ｄｐｉ」のカウンタ値を「ｂ」、画像処理設定「モノクロ  ３００ｄｐｉ」のカウンタ値を「ｃ」、画像処理設定「モノクロ  ６００ｄｐｉ」のカウンタ値を「ｄ」としている。そして、このとき、ａ、ｂ、ｃ、ｄの中で、最も大きいカウンタ値がａ（「カラー  ３００ｄｐｉ」のカウンタ値）となった場合、画像処理条件カウンタ部２０は、デフォルト設定情報１９１のうち「Ｓｃａｎ  ｔｏ  ＰＣ」の画像処理設定を「カラー  ３００ｄｐｉ」に更新することとなる。
【００９３】
（Ｂ−２）第２の実施形態の動作
次に、以上のような構成を有する第２の実施形態の複合機１０００の動作について、図８のフローチャートを用いて説明する。を説明する。
【００９４】
図８のフローチャートでは、上述の図５と同様の処理（ステップ）については、同一のステップ番号（符号）を付している。
【００９５】
図８のフローチャートでは、ステップＳ２０１〜Ｓ２０３が挿入されている点で、第１の実施形態と異なっている。図８では、ステップＳ２０１〜Ｓ２０３は、ユーザによりいずれかの処理モードの処理について開始指示があった後（ステップＳ１１０のスタートボタン１７ａの押下後）に挿入されている。
【００９６】
ユーザによりスタートボタン１７ａが押下後されると、制御部７の画像処理条件カウンタ部２０は、今回実行が指示された処理モードのカウンタ値のうち、今回実行が指示された読取条件に対応するカウンタ値をインクリメント（１加算）する処理を行う（Ｓ２０１）。例えば、今回ユーザにより実行指示された処理モードが「Ｓｃａｎ  ｔｏ  ＰＣ」で、読取条件が「カラー  ３００ｄｐｉ」の場合、画像処理条件カウンタ部２０は、図７に示すカウンタ値ａをインクリメント（１加算）することになる。
【００９７】
次に、画像処理条件カウンタ部２０は、今回の加算により、デフォルト設定情報１９１の更新が必要であるか否かを判断する（Ｓ２０２）。例えば、画像処理条件カウンタ部２０は、今回ユーザにより実行指示された処理モードで、カウンタ値が最大値となる画像処理設定の変更があった場合には、デフォルト設定情報１９１に新たにカウンタ値が最大値となった画像処理設定を設定する必要がある（更新必要）と判断する。制御部７は、デフォルト設定情報１９１の更新が必要であると判断された場合後述するステップＳ２０３の処理に移行し、デフォルト設定情報１９１の更新が不要と判断された場合には上述のステップＳ１１２の処理に移行する。
【００９８】
上述のステップＳ２０２で、デフォルト設定情報１９１の更新が必要と判断された場合、制御部７（画像処理条件カウンタ部２０）はその判断結果に従ってデフォルト設定情報１９１を更新して（Ｓ２０３）、上述のステップＳ１１２の処理に移行する。具体的には、画像処理条件カウンタ部２０は、デフォルト設定情報１９１で今回実行した処理モードの画像処理設定を、新たにカウンタ値が最大値となった画像処理設定に変更する処理を行う。
【００９９】
例えば、仮に、デフォルト設定情報１９１で、「Ｓｃａｎ  ｔｏ  ＰＣ」の処理モードに対応する画像処理設定が「カラー  ６００ｄｐｉ」（カウンタ値ｂに対応する画像処理設定）となっている状態で、カウンタ値ａ（「カラー  ３００ｄｐｉ」に対応するカウンタ値）が加算されてカウンタ値ｂを超えた場合を想定する。この場合、画像処理条件カウンタ部２０は、デフォルト設定情報１９１のうち「Ｓｃａｎ  ｔｏ  ＰＣ」の処理モードに対応する画像処理設定を、カウンタ値ａに対応する「カラー  ３００ｄｐｉ」に更新（変更）することになる。
【０１００】
（Ｂ−３）第２の実施形態の効果
第２の実施形態によれば、第１の実施形態の効果に加えて以下のような効果を奏することができる。
【０１０１】
第２の実施形態の複合機１０００では、各処理モードで利用される画像処理設定ごとに実行回数（利用頻度）を計数し、実行回数（利用頻度）が最も多い画像処理設定（最もカウンタ値の大きい画像処理設定）を、デフォルト設定情報１９１に設定する処理を行う。これにより、第２の実施形態の複合機１０００では、ユーザにより指示される読取条件と、デフォルト設定情報１９１に設定する画像処理設定が一致する確率を上げることができる。これにより、第２の実施形態の複合機１０００では、ユーザからの開始指示から出力完了するまでの時間を、第１の実施形態より確実に短縮できる。
【０１０２】
（Ｃ）第３の実施形態
以下、本発明による画像読取装置及び画像形成装置の第３の実施形態を、図面を参照しながら詳述する。以下では、本発明の画像読取装置及び画像形成装置を複合機に適用した例について説明する。
【０１０３】
（Ｃ−１）第３の実施形態の構成及び動作
第３の実施形態の複合機１０００のハードウェア構成については、第１の実施形態と同様に上述の図２、図３を用いて説明することができるので詳しい説明を省略する。
【０１０４】
また、第３の実施形態の複合機１０００の機能的構成も上述の図１を用いて説明することができるので詳しい説明を省略する。
【０１０５】
以下では、第３の実施形態について第１の実施形態との差異を中心に説明する。
【０１０６】
第１の実施形態では、原稿押圧部２が閉じられた後、ユーザによるいずれかの処理モードでの処理開始の指示（例えば、上述の図５のステップＳ１１１）が発生する前までに、先行読取に伴う処理（例えば、上述の図５のステップＳ１０３〜Ｓ１１０の処理）が終了するものとして説明していた。
【０１０７】
これに対して、第３の実施形態では、原稿押圧部２が閉じられた後、先行読取に伴う処理（例えば、上述の図５のステップＳ１０３〜Ｓ１１０の処理）が終了する前に、ユーザがいずれかの処理モードでの処理開始の指示（例えば、スタートボタン１７ａの押下）を行った場合、制御部７は、上述の図５のフローチャートの処理を一時中断して、図９のフローチャートの処理を割込み実行する。この場合は、先行読取に伴う処理（例えば、上述の図５のステップＳ１０３〜Ｓ１１０の処理）が終了する前に、ユーザによりステップＳ１０９及びＳ１１０の操作が実行されたことになる。
【０１０８】
このとき、制御部７は、今回ユーザにより指示された処理モードに対応する画像データが、既に画像格納部６に格納されているか否かを確認する（Ｓ３０１）。
【０１０９】
当該処理モードに対応する画像データが既に画像格納部６に格納されている場合、制御部７は、上述の図５のフローチャートの上述のステップＳ１１２から処理を再開する。
【０１１０】
一方、当該処理モードに対応する画像データが既に画像格納部６に格納されていない場合、制御部７は、画像格納部６に格納されている原画像データ（最大解像かつ最大色数の画像データ）に基づき、ユーザに指示された読取条件の画像データを生成する処理を行い（Ｓ３０２）、上述の図５のフローチャートの上述のステップＳ１１６から処理を再開する。なお、このとき、画像格納部６に原画像データが格納されていない場合は、制御部７は、画像読取装置部２００を制御した原稿Ｍの読取処理（ユーザにより指示された読取条件での読取処理）から行うようにしてもよい。
【０１１１】
図９では、第１の実施形態に第３の実施形態の割込み処理を適用する例について示したが、第２の実施形態についても同様に第３の実施形態の割込み処理を適用するようにしてもよい。
【０１１２】
図１０は、第２の実施形態に対して第３の実施形態の割込み処理を適用した場合の処理について示したフローチャートである。
【０１１３】
原稿押圧部２が閉じられた後、先行読取に伴う処理（例えば、上述の図８のステップＳ１０３〜Ｓ１１０の処理）が終了する前に、ユーザがいずれかの処理モードでの処理開始の指示（例えば、スタートボタン１７ａの押下）を行った場合、制御部７は、上述の図８のフローチャートの処理を一時中断して、図１０のフローチャートの処理を割込み実行する。
【０１１４】
このとき、制御部７は、今回ユーザにより実行指示された処理モードに対応する画像データが、既に画像格納部６に格納されているか否かを確認する（Ｓ４０１）。
【０１１５】
当該処理モードに対応する画像データが既に画像格納部６に格納されている場合、制御部７は、上述の図８のフローチャートの上述のステップＳ２０１から処理を再開する。
【０１１６】
一方、当該処理モードに対応する画像データが既に画像格納部６に格納されていない場合、制御部７は、画像格納部６に格納されている原画像データ（最大解像かつ最大色数の画像データ）に基づいて、ユーザに指示された読取条件の画像データを生成する処理を行う（Ｓ４０２）。なお、このとき、画像格納部６に原画像データが格納されていない場合は、制御部７は、画像読取装置部２００を制御した原稿Ｍの読取処理（ユーザにより指示された読取条件での読取処理）から行うようにしてもよい。
【０１１７】
次に、制御部７の画像処理条件カウンタ部２０が、実行された読取条件に対応する画像処理設定のカウンタ値を１加算し、必要に応じてデフォルト設定情報１９１を更新する処理（Ｓ４０３〜Ｓ４０５）を実行し、上述の図８のフローチャートの上述のステップＳ１１６から処理を再開する。なお、ステップＳ４０３〜Ｓ４０５の処理は、上述のステップＳ２０１〜Ｓ２０３の処理と同様の処理であるので詳しい説明については省略する。
【０１１８】
（Ｃ−２）第３の実施形態の効果
第３の実施形態によれば、第１及び第２の実施形態の効果に加えて、以下のようの効果を奏することができる。
【０１１９】
第３の実施形態では、原稿押圧部２が閉じられた後、ユーザによるいずれかの処理モードでの処理開始の指示が発生する前までに、先行読取に伴う処理が完了していない場合でも、その時点までに処理された画像データを利用して、ユーザに指示された処理モードでの処理を実行することができる。
【０１２０】
特に、先行読取により読込んだ画像データを、デフォルト設定情報１９１の画像処理設定に応じた画像データに変換する処理の量が多い場合、その変換処理中にユーザによるいずれかの処理モードでの処理開始の指示が発生する場合があり得る。しかし、第３の実施形態の複合機１０００のように、割込み処理（例えば、上述の図９、図１０のフローチャートの処理）を実行することで、可能な限りその時点で処理済みの画像データを利用し、最短時間でユーザの指示に基づく処理を実行することが可能となる。
【０１２１】
（Ｄ）他の実施形態
本発明は、上記の各実施形態に限定されるものではなく、以下に例示するような変形実施形態も挙げることができる。
【０１２２】
（Ｄ−１）上記の各実施形態では、本発明の画像読取装置を、複合機に適用する例について説明したが、各実施形態の複合機から画像形成の機能を省略した装置（例えば、スキャナ等）に本発明の画像読取装置を適用するようにしてもよい。
【０１２３】
また、上記の各実施形態の複合機では、原稿Ｍの読取を伴う処理モード（機能）として、「Ｓｃａｎ  ｔｏ  ＰＣ」、「Ｓｃａｎ  ｔｏ  Ｓｅｒｖｅｒ」、「Ｆａｘ」、「Ｓｃａｎ  ｔｏ  ＵＳＢ」、及び「Ｃｏｐｙ」に対応するものとして説明したが、本発明の複合機では一部の機能を省略した構成としてもよいし、他の機能を追加した構成としてもよい。
【符号の説明】
【０１２４】
１…原稿載置台、２…原稿押圧部、３…開閉センサ、４…開閉センサ、５…画像読取手段、６…画像格納部、７…制御部、８…画像処理部、９…原稿サイズ検出制御部、１０…原稿検出センサ、１１…原稿検出センサ、１２…ネットワーク接続部、１３…ＦＡＸ回線接続部、１４…ＵＳＢ接続部、１４ａ…ＵＳＢメモリ、１５…接続検出部、１６…操作パネル、１７…ハードボタン部、１７ａ…スタートボタン、１８…操作表示部、１９…設定記憶部、２０…画像処理条件カウンタ部、１００…画像形成装置部、１０１…媒体カセット、１０２…画像形成部、１０３…画像定着部、１０４…排出部、１０５…給紙ローラ、１０６…搬送ローラ、１０７…搬送ローラ、１０８…排紙ローラ、１０９…排紙ローラ、１９１…デフォルト設定情報、２００…画像読取装置部、４００…サーバ、１０００…複合機、Ｍ…原稿、Ｎ１…ネットワーク、Ｎ２…電話回線、Ｐ…媒体。
【図１】
0006625369.tif 000002
【図２】
0006625369.tif 000003
【図３】
0006625369.tif 000004
【図４】
0006625369.tif 000005
【図５】
0006625369.tif 000006
【図６】
0006625369.tif 000007
【図７】
0006625369.tif 000008
【図８】
0006625369.tif 000009
【図９】
0006625369.tif 000010
【図１０】
0006625369.tif 000011